【手続補正書】
【提出日】平成18年7月6日(2006.7.6)
【手続補正１】
【補正対象書類名】明細書
【補正対象項目名】発明の名称
【補正方法】変更
【補正の内容】
【発明の名称】情報処理装置及び情報処理方法
【手続補正２】
【補正対象書類名】明細書
【補正対象項目名】特許請求の範囲
【補正方法】変更
【補正の内容】
【特許請求の範囲】
【請求項１】
映像又は音声の情報を記憶する映像音声情報記憶部と、
視聴者からの要求情報を入力する入力手段と、
前記入力手段から入力された前記視聴者からの要求情報により前記映像音声情報記憶部を制御する制御部と、
前記映像音声情報記憶部より視聴者から要求された映像又は音声の情報を出力する映像音声情報出力部とを備え、
前記制御部は、前記記憶された映像又は音声の情報の視聴期限に関する情報を記憶し、前記記憶された映像又は音声の情報の視聴期限が経過した場合に、前記記憶された映像又は音声の情報を削除することを特徴とする情報処理装置。
【請求項２】
映像又は音声の情報を記憶し、
前記記憶された映像又は音声の情報の視聴期限に関する情報を記憶し、
視聴者からの要求情報を入力し、
前記入力された視聴者からの要求により前記記憶された映像又は音声の情報の出力を制御し、
前記記憶された映像又は音声の情報より前記視聴者から要求された映像又は音声の情報を出力し、
前記記憶された映像又は音声の情報の視聴期限が経過した場合に、前記記憶された映像又は音声の情報を削除することを特徴とする情報処理方法。
【請求項３】
映像又は音声の情報を記憶する映像音声情報記憶部と、
前記映像音声情報記憶部より映像又は音声の情報を出力する映像音声情報出力部と、
前記映像音声情報記憶部を制御する制御部とを備え、
前記制御部は、前記記憶された映像又は音声の情報の視聴期限に関する情報を記憶し、前記記憶された映像又は音声の情報の視聴期限が経過した場合に、前記記憶された映像又は音声の情報を削除することを特徴とする情報処理装置。
【請求項４】
映像又は音声の情報を記憶し、
前記記憶された映像又は音声の情報より映像又は音声の情報を出力し、
前記記憶された映像又は音声の情報の出力を制御し、
前記記憶された映像又は音声の情報の視聴期限に関する情報を記憶し、
前記記憶された映像又は音声の情報の視聴期限が経過した場合に、前記記憶された映像又は音声の情報を削除することを特徴とする情報処理方法。
【請求項５】
ユーザからのリクエストに関する情報を入力する入力手段と、
複数の映像又は音声の情報を記憶し、記憶された前記複数の映像又は音声の情報の中から前記ユーザからのリクエストに関する情報に応じての映像又は音声の情報を出力する出カボートを有するビデオサーバと、
前記入力手段により入力されたユーザからのリクエストに関する情報を受信し、前記ユーザからのリクエストに応じて前記ビデオサーバを制御する制御部とを備え、
前記制御部は、前記ビデオサーバに記憶された映像又は音声の情報の視聴期限に関する情報を記憶し、前記記憶された映像又は音声の情報の視聴期限が経過した場合に、前記記憶された映像又は音声の情報を削除することを特徴とする情報処理装置。
【請求項６】
複数の映像又は音声の情報を記憶し、
ユーザからのリクエストに関する情報を入力し、
前記入力手段により入力されたユーザからのリクエストに関する情報を受信し、前記ユーザからのリクエストに応じて前記映像音声情報記憶部を制御し、
前記記憶された複数の映像又は音声の情報の中から前記ユーザのリクエストに関する情報に応じた映像又は音声の情報を出力し、
前記記憶された映像又は音声の情報の視聴期限に関する情報を記憶し、
前記記憶された映像又は音声の情報の視聴期限が経過した場合に、前記記憶された映像又は音声の情報を削除することを特徴とする情報処理方法。
【請求項７】
請求項５に記載の情報処理装置において、
前記制御部は、前記映像又は音声の情報の視聴期限と共に、
前記映像又は音声の情報のＩＤ番号、
前記映像又は音声の情報に関する所定の属性、
又は前記映像又は音声の情報が記憶されているビデオサーバの名称に関する情報を記憶することを特徴とする情報処理装置。
【請求項８】
請求項６に記載の情報処理方法において、
前記映像又は音声の情報の視聴期限と共に、
前記映像又は音声の情報のＩＤを示すＩＤ番号、
前記映像又は音声の情報に関する所定の属性、
又は前記映像又は音声の情報が記憶されている場所の名称に関する情報を記憶することを特徴とする情報処理方法。
【請求項９】
請求項７に記載の情報処理装置において、
前記映像又は音声の情報に関する所定の属性が、前記映像又は音声の情報の圧縮方式、前記映像又は音声の情報の圧縮率、又は前記映像又は音声の情報の大きさを示すことを特徴とする情報処理装置。
【請求項１０】
請求項８に記載の情報処理方法において、
前記映像又は音声の情報に関する所定の属性が、
前記映像又は音声の情報の圧縮方式、前記映像又は音声の情報の圧縮率、又は前記映像又は音声の情報の大きさを示すことを特徴とする情報処理方法。
【手続補正３】
【補正対象書類名】明細書
【補正対象項目名】０００１
【補正方法】変更
【補正の内容】
【０００１】
【発明の属する技術分野】
本発明は、ユーザからの要求により様々なサービスを配信する情報処理装置及び情報処理方法に係り、例えば、ユーザからの要求に応じて映画やカラオケ等の映像や音声の情報を配信する情報処理装置及び情報処理方法に関する。
【手続補正４】
【補正対象書類名】明細書
【補正対象項目名】００１０
【補正方法】変更
【補正の内容】
【００１０】
【課題を解決するための手段】
上記目的を達成するために、特許請求の範囲に開示されている技術的思想を用いればよい。
【手続補正５】
【補正対象書類名】明細書
【補正対象項目名】０１０３
【補正方法】変更
【補正の内容】
【０１０３】
【発明の効果】
以上のように、本発明によれば、情報処理装置を効率的に利用することができ、また、効率的な情報処理方法を提供できる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】０１０４
【補正方法】削除
【補正の内容】
【手続補正１７】
【補正対象書類名】明細書
【補正対象項目名】０１０５
【補正方法】削除
【補正の内容】